(57)【要約】【課題】操作者の利便性を損なうことなく、リソースを有効活用する。【解決手段】聴診器１は、取得音情報が示す音が、所定の条件を満たすことに基づいて、当該音に生体音が含まれていると判定する条件一致判定部２０３と、取得音情報が示す音に生体音が含まれていると判定したときに、取得音情報の、端末装置６０への送信処理を開始する通信制御部２０４、または記憶部４０への格納処理を開始する格納制御部２０５と、を備える。【選択図】図１
2013123493.tif 000002
【特許請求の範囲】
【請求項１】
自装置が取得した取得音情報が示す音が、少なくとも１つの所定の条件を満たすことに基づいて、当該音に生体音が含まれていると判定する判定手段と、
上記判定手段が、上記取得音情報が示す音に上記生体音が含まれていると判定したときに、当該取得音情報の、外部装置への送信処理、または記憶部への格納処理を開始する制御手段と、を備えることを特徴とする情報処理装置。
【請求項２】
上記所定の条件は、上記取得音情報が示す音が有する周波数が、所定の周波数範囲に含まれるものであることを特徴とする請求項１に記載の情報処理装置。
【請求項３】
上記所定の条件は、上記取得音情報が示す音が所定の周期性を有することであることを特徴とする請求項１または２に記載の情報処理装置。
【請求項４】
上記制御手段が、上記取得音情報の送信処理または格納処理を行っていることを報知させる報知制御手段を備えることを特徴とする請求項１から３のいずれか１項に記載の情報処理装置。
【請求項５】
請求項１から４のいずれか１項に記載の情報処理装置を備えることを特徴とする聴診器。
【請求項６】
自装置が取得した取得音情報が示す音が、少なくとも１つの所定の条件を満たすことに基づいて、当該音に生体音が含まれていると判定する判定ステップと、
上記判定ステップによって、上記取得音情報が示す音に上記生体音が含まれていると判定されたときに、当該取得音情報の、外部装置への送信処理、または記憶部への格納処理を開始する制御ステップと、を含むことを特徴とする情報処理装置の制御方法。
【請求項７】
請求項１から４のいずれか１項に記載の情報処理装置を動作させる制御プログラムであって、コンピュータを上記各手段として機能させるための制御プログラム。
【請求項８】
請求項７に記載の制御プログラムを記録したコンピュータ読み取り可能な記録媒体。
【発明の詳細な説明】
【技術分野】
【０００１】
本発明は、被検者から取得した生体音に対して処理を行う情報処理装置などに関する。
【背景技術】
【０００２】
従来、生体（患者）から生体音（呼吸音、心音など）を採取し、その採取した生体音をデジタル信号（生体音情報）として記録可能な電子聴診器が普及している。電子聴診器によって生体音情報が電子的に記録されることにより、医師が患者に対して聴診器を使ってその場で診断を行うといった従来の診断形態とは異なる、多様な診断形態を実現することが可能になっている。また、電子聴診器は、上記の生体音情報の電子的な記録、生体音情報に対する処理（解析、表示など）を行う処理装置へ送信などの各種処理を実現するために、電源回路を有している。
【０００３】
上述の診断形態を実現するために、電子聴診器に関して様々な技術が存在する。
【０００４】
特許文献１および２には、聴診器に、看護婦等が聴診音の記録の開始及び終了を制御するオンオフスイッチを備えた聴診システムが開示されている。この聴診システムでは、看護婦等は、患者の適所に聴診器を当て、その音が良好であると判断した場合に、オンオフスイッチを操作する。特許文献１の聴診システムでは、この操作をトリガーとして、聴診音の記録処理が開始される。また、特許文献２の聴診システムでは、この操作をトリガーとして聴診音の圧縮符号化処理が行われ、当該圧縮された聴診音が、記録媒体に格納、あるいは遠隔地に送信される。
【０００５】
また、特許文献３には、自センサーの使用・不使用を区別して、自センサーの構成要素に供給される電力を制御する電子バイオセンサーが開示されている。この電子バイオセンサーは、（１）イヤーチューブの機械的変位、（２）臨床医と、当該電子バイオセンサーのハウジングとの接触（または近接）、（３）当該電子バイオセンサーのダイアフラム面と、患者との接触（または近接）、をそれぞれ検知するセンサーを備えている。電子バイオセンサーでは、これらのセンサーによる変位および／または接触の検知をトリガーとして、上記構成要素への電力供給が行われる（スリープモードが解除される）。
【０００６】
また、この電子バイオセンサーは、センサーが検知したセンサー信号の特徴を検出する特徴検出器を備えている。この場合、特徴検出器による、センサー信号の過渡的な部分と非過渡的な部分との検知をトリガーとして、上記構成要素への電力供給が行われる。
【先行技術文献】
【特許文献】
【０００７】
【特許文献１】特開２００１−３２７４８８号公報（２００１年１１月２７日公開）
【特許文献２】特開２００１−３３３８９９号公報（２００１年１２月  ４日公開）
【特許文献３】特表２０１０−５２２０３９号公報（２０１０年  ７月  １日公表）
【発明の概要】
【発明が解決しようとする課題】
【０００８】
しかしながら、特許文献１および２の聴診システムでは、聴診音の記録または圧縮符号化処理が、看護婦等によるオンオフスイッチのスイッチング操作をトリガーとして行われている。すなわち、これらの聴診システムでは、生体音を取得するタイミングを、その操作者が決定している。これは、操作者に、生体音を取得したい状況において、生体音であるか否かを判断させた上でオンオフスイッチを操作させることを要するので、操作者の利便性を損なう可能性がある。すなわち、臨床医・看護婦等にとって不必要なデータを自動的に排除して、所定の処理（例えば、生体音情報の外部装置への送信処理、記憶部への格納処理）を行うことができない。
【０００９】
また、特許文献３の電子バイオセンサーは、臨床医または患者への接触、センサー信号の過渡／非過渡状態により、電力供給の開始タイミングを決定している。このため、各構成要素に電力供給が行われると、取得した音に対しての所定の処理が開始されると想定されるため、生体音を含まない状態であっても当該処理を行ってしまう可能性がある。例えば、電力供給が開始されたときに、通信可能な状態（例えば、特許文献３のトランシーバオン状態）となる場合には、取得した音に生体音が含まれない状態で、当該音情報の外部装置への送信処理を開始してしまう可能性がある。また、通信可能な状態とならない場合には、操作者に、当該状態にするための操作を行わせることを要するので、操作者の利便性を損なう可能性がある。
【００１０】
このように、特許文献１〜３の技術では、取得した音に生体音が含まれていることをトリガーとして、外部への送信処理または記憶部への格納処理などの所定の処理を行っているわけではない。このため、臨床医・看護婦等にとって不必要なデータに対してまでも送信・格納処理を行ってしまう可能性がある。また、そのような不必要なデータに対する送信・格納処理を排除するために、操作者の利便性を損なってしまう可能性がある。
【００１１】
本発明は、上記の問題を解決するためになされたもので、その目的は、操作者の利便性を損なうことなく、リソースを有効活用することが可能な情報処理装置、聴診器、情報処理装置の制御方法、制御プログラムおよび記録媒体を提供することにある。
【課題を解決するための手段】
【００１２】
本発明に係る情報処理装置は、上記の課題を解決するために、自装置が取得した取得音情報が示す音が、少なくとも１つの所定の条件を満たすことに基づいて、当該音に生体音が含まれていると判定する判定手段と、上記判定手段が、上記取得音情報が示す音に上記生体音が含まれていると判定したときに、当該取得音情報の、外部装置への送信処理、または記憶部への格納処理を開始する制御手段と、を備えることを特徴としている。
【００１３】
また、本発明に係る情報処理装置の制御方法は、上記の課題を解決するために、自装置が取得した取得音情報が示す音が、少なくとも１つの所定の条件を満たすことに基づいて、当該音に生体音が含まれていると判定する判定ステップと、上記判定ステップによって、上記取得音情報が示す音に上記生体音が含まれていると判定されたときに、当該取得音情報の、外部装置への送信処理、または記憶部への格納処理を開始する制御ステップと、を含むことを特徴としている。
【００１４】
上記構成によれば、判定手段は、取得音情報が示す音が、少なくとも１つの所定の条件を満たすことに基づいて、当該音に生体音が含まれていると判定する。この所定の条件とは、生体音が、取得音情報が示す音に含まれることを判定するための条件である。これにより、情報処理装置は、取得した音に生体音が含まれるか否かを判定することができる。
【００１５】
また、制御手段は、取得音情報が示す音に生体音が含まれていると判定したときに、当該取得音情報（生体音情報）の、外部装置への送信処理または記憶部への格納処理を開始する。つまり、上記の判定をトリガーとして、すなわち取得した音に生体音が含まれると想定される状態になって初めて、生体音情報の送信処理または格納処理を開始する。そのため、情報処理装置は、操作者等にとって不必要な音（生体音を含まない音）を送信または格納することを防ぐことができるので、当該音を排除するための処理を操作者に行わせることなく、不必要な音の処理に対する電力、記憶容量などの消費を低減することができる。
【００１６】
それゆえ、本発明の情報処理装置は、操作者の利便性を損なうことなく、リソースを有効活用することができるという効果を奏する。また、本発明の情報処理装置の制御方法についても、上記の判定ステップおよび制御ステップを有するので、情報処理装置と同様の効果を奏する。
【００１７】
また、本発明に係る情報処理装置では、上記所定の条件は、上記取得音情報が示す音が有する周波数が、所定の周波数範囲に含まれるものであることが好ましい。
【００１８】
上記構成によれば、生体音、特に呼吸音および心音の周波数は、所定の周波数範囲（例えば、１ｋＨｚ以下の範囲）に含まれているので、取得音情報が示す音がその周波数範囲内にあれば、当該音に生体音が含まれている可能性が高い。それゆえ、取得音情報が示す音の周波数を上記所定の条件として利用することにより、取得音情報が示す音に生体音が含まれるか否かを確実に判断することができる。
【００１９】
また、本発明に係る情報処理装置では、上記所定の条件は、上記取得音情報が示す音が所定の周期性を有することであることが好ましい。
【００２０】
上記構成によれば、生体音、特に呼吸音および心音には周期性があるので、取得音情報が示す音が所定の周期性（例えば、１秒程度、または数秒程度の周期）を有するものであれば、当該音に生体音が含まれている可能性が高い。それゆえ、取得音情報が示す音の周期性を上記所定の条件として利用することにより、取得音情報が示す音に生体音が含まれるか否かを確実に判断することができる。
【００２１】
また、本発明に係る情報処理装置では、上記制御手段が、上記取得音情報の送信処理または格納処理を行っていることを報知させる報知制御手段を備えることが好ましい。
【００２２】
上記構成によれば、送信処理または格納処理中であることを報知することができるので、当該処理が行われているかを操作者が確認することができる。
【００２３】
また、本発明に係る聴診器は、上記に記載の情報処理装置を備えることが好ましい。
【００２４】
上記構成によれば、操作者の利便性を損なうことなく、リソースを有効活用することが可能な聴診器を実現することができる。
【００２５】
また、上記情報処理装置を動作させる制御プログラムであって、コンピュータを上記各手段として機能させるための制御プログラム、および当該制御プログラムを記録したコンピュータ読み取り可能な記録媒体も本発明の技術的範囲に含まれる。
【００２６】
上記制御プログラムによれば、コンピュータで上記手段を実現することにより、コンピュータ上で情報処理装置を実現することができる。また、上記記録媒体によれば、記録媒体から読み出される制御プログラムを、汎用のコンピュータ上で実現することができる。
【発明の効果】
【００２７】
本発明に係る情報処理装置は、以上のように、自装置が取得した取得音情報が示す音が、少なくとも１つの所定の条件を満たすことに基づいて、当該音に生体音が含まれていると判定する判定手段と、上記判定手段が、上記取得音情報が示す音に上記生体音が含まれていると判定したときに、当該取得音情報の、外部装置への送信処理、または記憶部への格納処理を開始する制御手段と、を備える構成である。
【００２８】
また、本発明に係る情報処理装置の制御方法は、以上のように、自装置が取得した取得音情報が示す音が、少なくとも１つの所定の条件を満たすことに基づいて、当該音に生体音が含まれていると判定する判定ステップと、上記判定ステップによって、上記取得音情報が示す音に上記生体音が含まれていると判定されたときに、当該取得音情報の、外部装置への送信処理、または記憶部への格納処理を開始する制御ステップと、を含む方法である。
【００２９】
それゆえ、本発明の情報処理装置およびその制御方法は、操作者の利便性を損なうことなく、リソースを有効活用することができるという効果を奏する。
【図面の簡単な説明】
【００３０】
【図１】本発明の一実施形態に係る聴診器が備える主制御部の構成の一例を示すブロック図である。
【図２】本発明の一実施形態に係る生体音測定システムの概要を示す図である。
【図３】上記聴診器が備えるチェストピースおよび把持部の構成の一例を示す断面図である。
【図４】上記聴診器が備えるチェストピースおよび把持部の構成の一例を示すブロック図である。
【図５】上記聴診器における処理の流れの一例を示すフローチャートである。
【発明を実施するための形態】
【００３１】
本発明の実施の一形態について図１〜図５に基づいて説明すれば、以下のとおりである。説明の便宜上、図面に示した部材と同一の機能を有する部材については、同一の符号を付し、その説明を省略する。
【００３２】
〔生体音測定システム１００の概要〕
まず、本発明の一実施形態である生体音測定システム１００の概要について、図２を参照しつつ説明する。
【００３３】
図２は、生体音測定システム１００の概要を示す図である。図２に示すように、生体音測定システム１００には、聴診器（情報処理装置、電子聴診器）１および端末装置（外部装置）６０が含まれている。
【００３４】
操作者が把持部３を把持し、聴診器１のチェストピース２を、測定対象である被験者（生体）５０の胸部などに当てることにより、被験者５０が発する生体音を取得できる。生体音の種類は、特に限定されず、例えば、心音、呼吸音、腸音である。
【００３５】
本実施の形態では、聴診器１は、取得した音に生体音（操作者、医師などが管理、診断などを行う上で必要とする音（所望の音））が含まれると判定した場合、その判定をトリガーとして、当該取得した音を示す取得音情報（すなわち、生体音を含む音を示す取得音情報（生体音情報））を、端末装置６０に送信する。この場合、端末装置６０が、当該生体音情報を管理する。あるいは、聴診器１は、上記判定をトリガーとして、生体音を含む音を示す取得音情報を、聴診器１が備える記憶部４０（図１及び図４参照）に格納する。
【００３６】
また、端末装置６０は、聴診器１によって取得された生体音情報を管理する装置である。この端末装置６０は、例えば、パーソナルコンピュータ、スマートフォン、ＰＤＡ（personal digital assistant）であるが、特に限定されない。
【００３７】
聴診器１と端末装置６０とは、相互にデータ通信を行うことが可能な構成であればよい。すなわち、本実施の形態では、無線通信を行う場合を主として説明するが、そのデータ通信は、無線媒体を介して行われても、有線媒体を介して行われてもよい。
【００３８】
また、このデータ通信は、近距離通信（赤外線通信、電磁波通信など）を利用してもよく、通信ネットワーク（ＬＡＮ（Local Area Network）、ＷＡＮ（Wide Area Network）など）を利用したものであってもよい。近距離通信を利用したデータ通信の場合、端末装置６０は、例えば、被験者５０に直接チェストピース２を当接する、聴診器１の操作者が使用するスマートフォンなどとして実現される。一方、通信ネットワークを利用したデータ通信の場合、端末装置６０は、例えば、被験者５０および聴診器１の操作者とは異なる部屋（空間）に設置されたパーソナルコンピュータや、被験者５０および操作者がいる場所から離れた遠隔地に設置されたパーソナルコンピュータなどとして実現される。
【００３９】
〔聴診器１の全体構成〕
図２に示すように、聴診器１は、チェストピース２、把持部３、ケーブル４およびイヤホン５を備えている。
【００４０】
チェストピース２は、被験者５０の表面に当接し、当該生体内部から発せられる生体音を取得する集音部である。また、このチェストピース２は、聴診器１の操作者が発する音声など、被験者５０の表面に触れていないときの生体音以外の音を、聴診器１の電源がオンとなった時点から取得することも可能である。
【００４１】
チェストピース２によって取得された音（生体音を含む）は、電気信号としてケーブル４を介してイヤホン５に伝達され、イヤホン５によって生体音が音響信号に変換される。
【００４２】
把持部３は、操作者が聴診器１を使用するときに把持するための部材であり、チェストピース２およびケーブル４に取り付けられている。
【００４３】
〔チェストピース２および把持部３の構成〕
次に、図３に基づいて、チェストピース２および把持部３の全体構成について説明する。図３は、チェストピース２および把持部３の構成の一例を示す断面図である。図３に示すように、チェストピース２は、把持部３に接続されており、ダイアフラム面２１、振動センサ２２、基板２３、プッシュスイッチ２４および接触センサ２５を備えている。なお、チェストピース２は、各部に電力を供給するバッテリーを備えているが、本発明の特徴点とは関係ないため、当該バッテリーを図示していない。
【００４４】
ダイアフラム面２１は、被験者５０が呼吸などを行うことにより生体音を発すると、この生体音の波長に合わせて微小振動する。このダイアフラム面２１の微小振動は、大気を介して振動センサ２２に伝搬される。また、ダイアフラム面２１が被験者５０に触れていないときであっても、聴診器１の周辺音を取得し、当該取得した音の波長にあわせて微小振動する。
【００４５】
振動センサ２２は、ダイアフラム面２１の微小振動を検出し、検出した微小振動を電気信号に変換する。図３に示す例では、振動センサ２２として圧電振動板を有するセンサを用いている。この圧電振動板は、圧電セラミックス（上側）と金属板（下側）との２層からなっている。より詳細には、圧電セラミックスは、２層の電極によって挟まれているが、図３では、当該電極は省略されている。なお、振動センサ２２の構成は、図３に示すものに限定されない。
【００４６】
振動センサ２２は、高周波の音（例えば、１ｋＨｚを超える音）をカットするフィルター（ローパスフィルター）を備えていてもよい。ほとんどの生体音は、１ｋＨｚ以下の周波数を有しているため、１ｋＨｚを超える音をカットすることにより、ノイズの少ない生体音を取得することができる。
【００４７】
振動センサ２２が生成した電気信号は、ケーブル４を介してイヤホン５に伝達されるとともに、デジタル信号変換部２６へ出力される。
【００４８】
基板２３は、振動センサ２２から送信される電気信号を処理する電子回路が含まれており、当該基板上に、ハードウェアロジックの一部であるデジタル信号変換部２６、通信部２７、計時部３０、記憶部４０および一時記憶部４１（図４参照）が形成される。なお、これらの部材は、基板２３の電子回路を介して、把持部３の内部に組み込まれていてもよい。
【００４９】
プッシュスイッチ２４は、例えばばね式のボタンで実現されており、ダイアフラム面２１の略垂直方向に可動するものである。具体的には、プッシュスイッチ２４は、ダイアフラム面２１よりも若干（数分の１ミリ程度）突出しており、ダイアフラム面２１が被験者５０に物理的に触れたときに押下状態となり、被験者５０から離れたときに非押下の状態となる。プッシュスイッチ２４は、押下または非押下となったときに、イベント検知信号を主制御部２０（図１および図４参照）に送信する。これにより、聴診器１が、対象物（通常は被験者５０）のダイアフラム面２１への接触を検知できる。
【００５０】
なお、プッシュスイッチ２４の配置は、これに限らず、例えばダイアフラム面２１の内部（振動センサ２２の周囲）に設けられていてもよく、被験者５０に当接したときのダイアフラム面２１の変形にあわせて押下状態となるように構成されていてもよい。また、プッシュスイッチ２４のように機械的な構造でなくても、ダイアフラム面２１が対象物に触れたことを検知可能な構成であればよい。例えば、プッシュスイッチ２４の代わりに、照度センサ、フォトインタラプタまたは赤外線センサなどの光センサが、ダイアフラム面２１あるいはその周囲に設けられてもよい。その他、圧力、温度、静電容量または超音波を感知するセンサで代用してもよい。
【００５１】
接触センサ２５は、照度センサ、フォトインタラプタまたは赤外線センサなどの光センサなどで実現されており、把持部３の表面の一部に設けられている。図３では、接触センサ２５は、把持部３の、操作者の右手の親指が触れやすい位置に設けられている。接触センサ２５は、例えば操作者の指がその表面に触れたときに、あるいはその表面から離れたときに、イベント検知信号を主制御部２０に送信する。これにより、聴診器１が、対象物（通常は操作者）の把持部３への接触を検知することにより、操作者が把持したか否かを検知できる。
【００５２】
なお、プッシュスイッチ２４と同様、接触センサ２５は、把持部３への接触が検知可能であればよいため、把持部３の表面であり、操作者が触れる可能性が高い位置であればどの位置に配置されてもよい。また、接触センサ２５の代わりに、スライド式のスイッチや、圧力、温度、静電容量または超音波などの各種センサで実現されてもよい。
【００５３】
次に、チェストピース２または把持部３が備える部材の詳細について、図４に基づいて説明する。図４は、チェストピース２および把持部３の構成の一例を示すブロック図である。
【００５４】
図４に示すように、チェストピース２または把持部３は、上述した部材のほか、主制御部２０、デジタル信号変換部２６、通信部２７、表示部２８、スピーカー２９、計時部３０、記憶部４０および一時記憶部４１を備える。
【００５５】
主制御部２０は、例えば、記憶部４０に格納されている制御プログラムを実行することにより、聴診器１の構成部材を制御するものである。主制御部２０は、記憶部４０に格納されているプログラムを、例えばＲＡＭ（Random Access Memory）等で構成される一時記憶部４１に必要に応じて読み出して実行することにより各種処理を行う。また、主制御部２０の処理が、デジタルシグナルプロセッサ（ＤＳＰ）により実現されてもよい。主制御部２０の具体的な構成および処理については、図１に基づいて後述する。
【００５６】
デジタル信号変換部２６は、振動センサ２２が変換した電気信号をデジタル信号に変換し、取得した音を取得音情報として主制御部２０に送信する。デジタル信号変換部２６は、取得音情報を所定のファイル形式の音データに変換してもよい。上記ファイル形式として、例えば、ＭＰ３、ＷＡＶ、ＷＭＡ、ＭＰ２、ＡＣ３、ＯＧＧ、ＲＡ、ＡＡＣなどを挙げることができる。
【００５７】
また、デジタル信号変換部２６は、電気信号に対して、ゲインコントロールおよびＤＣコントロールを行う。これにより、下記に述べる主制御部２０での信号処理の精度・確度の向上に寄与するので、主制御部２０による、取得音情報が示す音に生体音が含まれるか否かの判定をより確度よく行うことができ、また、主制御部２０または端末装置６０による、生体音の波形の適切な表示を行うことができる。
【００５８】
通信部２７は、取得した音に生体音が含まれると主制御部２０によって判定されたときの取得音情報を、端末装置６０に送信する送信部として機能するものである。また、端末装置６０を介して聴診器１の設定条件等を変更できるように、通信部２７が受信部としての機能を有していてもよい。これにより、端末装置６０とのデータ通信が可能となる。
【００５９】
表示部２８は、例えば、液晶ディスプレイであり、提示制御部２０６（図１参照）の制御により、生体音の波形、当該波形から推測される診断結果などを示す画面、聴診器１の操作者に所定の測定位置（測定点）を示すための画面、聴診器１の操作者に対して、取得音情報を送信／格納中であることのメッセージ、あるいは送信／格納が中断されたことを報知するエラーメッセージを示すための画面などを表示するものである。
【００６０】
スピーカー２９は、提示制御部２０６の制御により、聴診器１の操作者に対して、上記のメッセージを音声データとして報知したり、送信／格納が中断されたことを報知するための警告音を出力するものである。
【００６１】
表示部２８およびスピーカー２９を備えることにより、操作者、医師などは、被験者５０の健康状態を把握でき、また、生体音情報に対する処理が適切に行われているかを把握することができる。
【００６２】
なお、ＬＥＤ等の点灯部を備え、その発光色の変更、点灯状態（点滅）などにより、上記の送信／格納中であること、あるいは送信／格納が中断されたことを報知してもよい。例えば、端末装置６０とのデータ通信が無線通信により行われる場合、接続確立中は青色、データ送信中は赤色などを発光するように制御されてもよい。
【００６３】
計時部３０は、計時制御部２１４（図１参照）の制御により、予め設定された所定の時間、一定の時間を計時するものである。
【００６４】
記憶部４０は、主制御部２０が実行する（１）各部の制御プログラム、（２）ＯＳプログラム、（３）アプリケーションプログラム、および、（４）これらプログラムを実行するときに読み出す各種データを記録するものである。記憶部４０は、ハードディスク、フラッシュメモリなどの不揮発性の記憶装置によって構成される。特に、記憶部４０は、生体音情報、生体音のモデル波形などを格納するものである。
【００６５】
一時記憶部４１は、ＲＡＭ（Random Access Memory）などの揮発性の記憶装置によって構成されるものであり、主制御部２０が上述の各種プログラムを実行する過程でデータを一時的に保持するための作業領域として使用される。すなわち、一時記憶部４１は、バッファとしての機能を有する。特に、一時記憶部４１は、主制御部２０が、デジタル信号変換部２６から取得した取得音情報としてのデジタル信号に対して、端末装置６０への送信処理あるいは記憶部４０への格納処理を開始するかどうかを判定するときに用いられる。
【００６６】
〔主制御部２０の具体的構成〕
次に、図１に基づいて、主制御部２０の具体的構成について説明する。図１は、聴診器１が備える主制御部２０の構成の一例を示すブロック図である。
【００６７】
本実施の形態に係る主制御部２０は、特に、所定の条件を満たすことに基づいて、デジタル信号変換部２６を介して取得したデジタル信号（取得音情報）が示す音に、生体音が含まれていると判定したことをトリガーとして、取得音情報の端末装置６０への送信処理、または記憶部４０への格納処理を開始するものである。この処理を実現するために、主制御部２０は、図１に示すように、音情報取得部２０１、イベント検知部２０２、条件一致判定部（判定手段）２０３、通信制御部（制御手段）２０４、格納制御部（制御手段）２０５および提示制御部（報知制御手段）２０６を備えている。
【００６８】
音情報取得部２０１は、チェストピース２が取得した音を示す取得音情報（デジタル信号変換部２６が生成したデジタル信号）を取得し、一時記憶部４１に一時的に格納する。また、音情報取得部２０１は、取得音情報を取得したことを通知するための取得通知信号を条件一致判定部２０３に送信する。これにより、条件一致判定部２０３での取得音情報に対する処理を行うことが可能となる。
【００６９】
イベント検知部２０２は、プッシュスイッチ２４が押下または非押下となるタイミング、および、接触センサ２５に対する対象物の接触または非接触のタイミングで生成されるイベント検知信号を、プッシュスイッチ２４および接触センサ２５のそれぞれから受信するものである。これにより、聴診器１は、操作者が把持部３を把持したこと、および被験者５０にチェストピース２を当接したこと（すなわち、対象物との接触）を検知できる。また、被験者５０からチェストピース２が離されたこと、および操作者が把持部３から手を離したこと（すなわち、対象物との非接触）を検知できる。すなわち、イベント検知部２０２を備えることにより、聴診器１は、想定される操作者の利用状況を把握することができる。
【００７０】
イベント検知部２０２は、プッシュスイッチ２４および接触センサ２５から対象物と接触したことを示すイベント検知信号を受信した場合には、当該イベント検知信号を受信したことを通知するためのイベント発生信号を条件一致判定部２０３に送信する。これに基づいて、条件一致判定部２０３が、取得音情報が示す音に生体音が含まれるか否かの判定処理を行うことを可能とする。
【００７１】
一方、イベント検知部２０２は、プッシュスイッチ２４および接触センサ２５から対象物と非接触になったことを示すイベント検知信号を受信した場合には、当該イベント検知信号を受信したことを通知するためのイベント発生信号を通信制御部２０４または格納制御部２０５に送信する。これにより、通信制御部２０４または格納制御部２０５が、取得音情報の送信処理または格納処理の完了を判断することも可能となる。
【００７２】
なお、イベント検知部２０２は、プッシュスイッチ２４および接触センサ２５のいずれかからのイベント検知信号を受信した時点で、イベント発生信号を条件一致判定部２０３、通信制御部２０４または格納制御部２０５に送信してもよい。
【００７３】
また、イベント検知部２０２は、プッシュスイッチ２４からのイベント検知信号と、接触センサ２５からのイベント検知信号とを区別することができる。また、イベント検知部２０２は、プッシュスイッチ２４の押下または非押下のタイミング、接触センサ２５に対する接触または非接触のタイミングについてもそれぞれ区別することができる。この区別を可能とするための処理は、特に限定されないが、例えば、プッシュスイッチ２４および接触センサ２５は、イベント検知信号に、（１）自身からの信号であることを示す情報、および（２）押下または非押下、接触または非接触となったことを示す情報を付加する。
【００７４】
条件一致判定部２０３は、音情報取得部２０１から取得通知信号を受信、および／またはイベント検知部２０２からイベント発生信号を受信すると、音情報取得部２０１が取得した取得音情報を一時記憶部４１から取得する。そして、当該取得音情報が示す音が、上記所定の条件を満たすことに基づいて、当該音に生体音が含まれていると判定するものである。
【００７５】
この処理を実現するために、条件一致判定部２０３は、判定手段として機能する周期性確認部２１１、周波数帯域確認部２１２、波形確認部２１３および計時制御部２１４を備えている。これらの部材については、後述する。
【００７６】
また、条件一致判定部２０３は、その判定結果を示す結果通知信号を、通信制御部２０４または格納制御部２０５に送信する。これにより、条件一致判定部２０３の判定結果に従って、生体音情報の送信処理または格納処理を行うことができる。
【００７７】
通信制御部２０４は、条件一致判定部２０３から結果通知信号を受信すると、一時記憶部４１から取得音情報を取得し、通信部２７を制御することにより、端末装置６０に当該取得音情報を送信する。換言すれば、通信制御部２０４は、条件一致判定部２０３が、取得音情報が示す音に生体音が含まれていると判定したときに、当該取得音情報の、端末装置６０への送信処理を開始するものである。
【００７８】
格納制御部２０５は、条件一致判定部２０３から結果通知信号を受信すると、一時記憶部４１から取得音情報を取得し、記憶部４０に当該取得音情報を格納する。換言すれば、格納制御部２０５は、条件一致判定部２０３が、取得音情報が示す音に生体音が含まれていると判定したときに、当該取得音情報の、記憶部４０への格納処理を開始するものである。
【００７９】
なお、例えば、聴診器１がオンラインモードで使用される場合には、条件一致判定部２０３によって、取得音情報が上記所定の条件を満たしたと判定されたことをトリガーとして、通信制御部２０４によって、端末装置６０への送信処理が自動的に開始され、生体音がリアルタイムに端末装置６０に送信されることとなる。
【００８０】
一般に、聴診器１の記憶部４０の記憶容量は少なく、例えば数周期分の生体音を数回程度（４〜８秒程度の音を８回程度など）しか記録できない。そのため、オフラインモードにおいて使用する場合には、聴診器１よりも記憶容量の大きい端末装置６０にて生体音情報を管理することができるので、聴診器１の少ない記憶容量を有効に活用することができる。
【００８１】
また、生体音情報のみを端末装置６０に送信するので、生体音を含まない取得音情報を送信することによる弊害を防ぐことが可能となる。すなわち、操作者（または遠隔地にいる医師など）が必要としない音情報を端末装置６０で管理することによって、端末装置６０の記憶部の記憶容量を無駄に消費してしまうことを防ぐとともに、当該音情報を端末装置６０に送信することによって、聴診器１の電力を無駄に消費してしまうことを防ぐことができる。
【００８２】
一方、聴診器１がオフラインモードで使用される場合には、条件一致判定部２０３によって、取得音情報が上記所定の条件を満たしたと判定されたことをトリガーとして、格納制御部２０５によって、記憶部４０への格納処理が自動的に開始される。
【００８３】
一般に、被験者５０および測定位置（チェストピース２を当接する位置）を特定した上で、生体音情報の管理を行う必要があり、その管理は端末装置６０にて行われる。聴診器１の使用場所（測定場所）と端末装置６０の設置場所とが近い場合には、例えば、操作者が、被験者５０および測定位置を示す情報を端末装置６０に入力しながら、聴診器１で取得した生体音情報を管理することができる。しかし、端末装置６０の設置場所から離れた遠隔地において聴診器１が使用される場合には、操作者が、直接端末装置６０に被験者５０および測定位置を示す情報を入力できないため、当該情報と生体音情報との紐付けを行うことができない可能性がある。オフラインモードの場合には、聴診器１に、被験者５０および測定位置を示す情報を入力しながら、生体音を記録していくことができるので、測定場所と端末装置６０の設置場所が離れている状況であっても、適切な情報管理を行うことができる。
【００８４】
また、上記と同様、生体音情報のみを記憶部４０に格納するので、生体音を含まない取得音情報（操作者、医師などが必要としない音情報）を格納することによって、記憶部４０の記憶容量を無駄に消費してしまうことを防ぐことができる。
【００８５】
なお、オフラインモードの場合、例えば、当該格納処理後、聴診器１に備えられた通信ボタンを操作者が操作したときに、生体音情報が端末装置６０に送信されてもよい。
【００８６】
また、通信制御部２０４および格納制御部２０５はそれぞれ、端末装置６０への送信処理中、あるいは記憶部４０への格納処理中であることを示す処理通知信号を提示制御部２０６に送信する。
【００８７】
さらに、通信制御部２０４および格納制御部２０５は、それぞれの処理が完了したことを示す完了通知信号を提示制御部２０６に送信してもよい。この場合、例えば、通信制御部２０４および格納制御部２０５は、ダイアフラム面２１および／または接触センサ２５に対して対象物が非接触となったことを示すイベント発生信号を受信すると、計時制御部２１４に、計時を開始することを示す計時開始信号を送信する。計時制御部２１４は、この計時開始信号を受信すると、計時部３０を制御することにより、一定の時間（例えば３秒）を計時させる。そして、通信制御部２０４および格納制御部２０５は、計時制御部２１４から、その計時が完了したことを示す計時完了信号を受信すると、生体音の測定が完了したと判定し、送信処理または格納処理を完了する。
【００８８】
提示制御部２０６は、通信制御部２０４または格納制御部２０５から処理通知信号を受信している間、上記の送信処理または格納処理が行われていることを、表示部２８および／またはスピーカー２９に報知させる。これにより、操作者が、その送信処理または格納処理がスムースに行われているかどうかを確認することができる。
【００８９】
また、提示制御部２０６は、通信制御部２０４または格納制御部２０５から完了通知信号を受信したときには、その完了を報知するためのメッセージを、表示部２８および／またはスピーカー２９に報知させてもよい。また、提示制御部２０６は、完了通知信号の受信前に、処理通知信号を受信せず、ある一定の時間が経過した場合には、上記の送信処理または格納処理が中断したと判断し、これらの処理が正常に行われていないことを示すエラーメッセージを、表示部２８および／またはスピーカー２９に報知させてもよい。これらの場合にも、操作者が、取得音情報の送信処理または格納処理の状態を確実に把握することができる。
【００９０】
〔条件一致判定部２０３の構成〕
条件一致判定部２０３は、上述のように、取得音情報が示す音に生体音が含まれるか否かを判定する。その判定基準としての上記所定の条件としては、例えば以下の４つが挙げられる。すなわち、条件一致判定部２０３は、例えば、以下の（１）〜（４）のうちの、少なくとも１つを満たしたと判定した場合に、取得音情報が示す音に生体音が含まれていると判定する。なお、取得音情報が示す音に生体音が含まれているか否かを判定できるのであれば、以下の（１）〜（４）の条件に限られず、他の条件が用いられてもよい。
（１）取得音情報が示す音が所定の周期性を有していること。
（２）取得音情報が示す音が有する周波数が、所定の周波数範囲に含まれていること。
（３）取得音情報が示す音の波形が、記憶部４０に格納された、生体音の特徴を有する波形モデルとの比較を行い、マッチングスコア（特定値）が所定の閾値以上であること。
（４）プッシュスイッチ２４および接触センサ２５から、対象物への接触のあったことを示すイベント検知信号を受信した後、所定の時間が経過したこと。
【００９１】
なお、上記所定の条件、所定の周期性、所定の周波数範囲、所定の閾値および所定の時間は、条件一致判定部２０３の各部材が、取得音情報が示す音に生体音が含まれていることを判定するための値および範囲を示すものである。
【００９２】
条件一致判定部２０３は、上記の各判定を行うための部材として、周期性確認部２１１、周波数帯域確認部２１２、波形確認部２１３および計時制御部２１４を備えている。
【００９３】
周期性確認部２１１は、所定の条件として、上記（１）を満たすか否かを判定するために、取得音情報が示す音の波形が、所定の周期性を有しているか否かを判定する。
【００９４】
生体音は、例えば呼吸音および心音であれば、その音の波形は所定の周期性を有している。被験者５０間で個人差はあるが、一般に、呼吸音であれば３〜５秒程度、心音であれば１秒程度の範囲内において、それぞれの音の波形には周期性が認められる。一方、生体音ではない音の場合（例えば被験者５０に触れていない場合）には、上記のような範囲内においての周期性が認められることは殆どないといえる。このため、周期性確認部２１１が、取得音情報が示す音の周期性の有無を判定することにより、その音に生体音が含まれるか否かを判定することができる。
【００９５】
周期性確認部２１１は、例えば、自己相関関数を用いて、取得音情報が示す音の波形が周期性を有しているか否かを判定する。自己相関関数とは、ある信号の波形が、当該波形を時間的にずらした波形とどの程度の類似性を有するか（信号自体にどの程度の類似性があるか）を示すものあり、信号の周期性の有無を判定するのに有効である。この自己相関関数を用いることにより、例えば、ノイズに埋もれた周期的信号の存在を判定することができる。
【００９６】
自己相関関数は、例えば以下の式で表される。
【００９７】
【数１】
2013123493.tif 000003
【００９８】
上記の式において、ｐ（ｔ）は音の時間関数（信号、波形）、τは遅れ時間、Ｔは積分区間を示す。積分区間Ｔの長さの波形ｐ（ｔ）を切り出すとき、時間τだけ遅れたときの波形がｐ（ｔ＋τ）で示される。波形ｐ（ｔ）およびｐ（ｔ＋τ）に一定の関係がある（例えば、同様の周期性を有している）場合、Ｇ（τ）は０でない値をとる。特に、波形ｐ（ｔ）およびｐ（ｔ＋τ）の振幅が大きく、波形ｐ（ｔ）およびｐ（ｔ＋τ）が同様の繰り返し成分を有している場合、２つの波形の相関値Ｇ（τ）は大きくなる。一方、完全にランダム（無秩序）な波形の場合には、Ｇ（τ）は０となる。
【００９９】
周期性確認部２１１は、一時記憶部４１に格納されている取得音情報（例えば数周期分の生体音）を取得し、その取得音情報が示す音の波形についての自己相関関数を算出し、自己相関関数が計測対象の生体音の周期でピークをもち、その半値幅が、例えば周期（呼吸の場合３〜５秒、心臓の場合1秒程度、など）の１０〜２０％の範囲である場合には、所定の周期性があると判定する。
【０１００】
周波数帯域確認部２１２は、所定の条件として、上記（２）を満たすか否かを判定するために、取得音情報が示す音が有する周波数が、所定の周波数範囲に含まれているか否かを判定する。上述したように、一般に、ほとんどの生体音は、１ｋＨｚ以下の周波数にエネルギーのほとんどを有している。そのため、それ以外の周波数帯域（１ｋＨｚを超える周波数帯域）にエネルギーのほとんどを有する波形の場合には、その波形を有する音には生体音が含まれていないと判定することができる。
【０１０１】
周波数帯域確認部２１２は、一時記憶部４１に格納されている取得音情報（例えば３〜５秒分）を取得し、その取得音情報が示す音が有する周波数を算出する。そして、周波数帯域確認部２１２は、その周波数が例えば１ｋＨｚ以下であった場合に、当該音が有する周波数が、所定の周波数範囲に含まれていると判定する。
【０１０２】
なお、上記では、その閾値を１ｋＨｚとしたが、生体音が含まれる音であることを判定できる閾値であれば、特に限定されない。例えば、正常呼吸音の場合、そのエネルギーの多くが４００Ｈｚ以下に集中しているため、閾値を４００Ｈｚとしてもよい。
【０１０３】
波形確認部２１３は、所定の条件として、上記（３）を満たすか否かを判定するために、一時記憶部４１に格納されている取得音情報（例えば３〜５秒分）が示す音の波形と、記憶部４０に格納されている生体音のモデル波形との比較を行い、マッチングスコアが所定の閾値（例えば５０％以上）であるか否かを判定する。そして、そのマッチングスコアが閾値以上であると判定した場合には、取得音情報が示す音に生体音が含まれていると判定する。なお、この生体音のモデル波形は、例えば生体音ごとの波形、すなわち呼吸音、心音、腸音それぞれの特徴を示す波形として、記憶部４０に格納されている。
【０１０４】
計時制御部２１４は、所定の条件として、上記（４）を満たすか否かを判定するために、プッシュスイッチ２４および接触センサ２５から、対象物への接触のあったことを示すイベント検知信号を受信した後、所定の時間が経過したか否かを判定する。
【０１０５】
計時制御部２１４は、接触センサ２５から当該箇所への接触があることを示すイベント検知信号と、プッシュスイッチ２４から押下状態になったことを示すイベント検知信号との両方を、イベント発生信号としてイベント検知部２０２から受信しているか否かを判定する。計時制御部２１４は、その両方を受信していると判定した場合に、計時部３０を制御して、所定の時間（例えば３秒）の計時を開始し、当該時間が経過したときには、取得音情報が示す音には生体音が含まれていると判定する。
【０１０６】
プッシュスイッチ２４が押下状態にあるということは、ダイアフラム面２１が被験者５０に触れている可能性が高く、また、接触センサ２５が当該箇所への接触を検知しているということは、操作者が把持部３を把持している可能性が高い。すなわち、プッシュスイッチ２４および接触センサ２５からイベント検知信号を受信している場合には、操作者が聴診器１を利用して被験者５０から生体音を取得する状況である可能性が高い。そのため、この状態から所定の時間経過した後であれば、取得音情報が示す音に生体音が含まれている可能性は高い。これらの理由から、計時制御部２１４は、上記（４）の条件を満たしている場合には、取得音情報が示す音に生体音が含まれていると判定する。
【０１０７】
また、計時制御部２１４は、送信処理または格納処理の完了時に、通信制御部２０４または格納制御部２０５から計時開始信号を受信したときに、計時部３０に一定の時間の計時を行わせ、その計時が完了したときには、計時完了信号を通信制御部２０４または格納制御部２０５に送信する。
【０１０８】
周期性確認部２１１、周波数帯域確認部２１２、波形確認部２１３および計時制御部２１４の全てにおいて、上記所定の条件を満たすか否かが判定される場合で、かつ全ての判定結果が上記所定の条件を満たすことを示す場合には、条件一致判定部２０３は、取得音情報が示す音に生体音が含まれると判定する。判定処理はこれに限らず、条件一致判定部２０３は、上記の４つの条件を全て満たしていなくても、少なくとも１つの条件が満たされていれば、取得音情報が示す音に生体音が含まれると判定してもよい。
【０１０９】
また、上記４つの条件の全てを判定する必要はなく、例えば、周波数帯域確認部２１２のみが取得音情報が示す音に生体音が含まれるか否かを判定してもよい。また、上記４つの条件のうちの２つ、あるいは３つの条件を満たすか否かで、当該音に生体音が含まれるか否かを判定してもよい。なお、条件一致判定部２０３は、全ての条件を満たすか否かを判定しない場合には、その判定を行う部材（周期性確認部２１１、周波数帯域確認部２１２、波形確認部２１３のいずれか）だけを有していればよい。
【０１１０】
また、上記４つの条件には、優先順位を示す情報が対応付けられており、条件一致判定部２０３は、優先順位が高い条件を満たしている場合には、上記所定の条件を満たしたと判定してもよい。例えば、上記（１）〜（４）の順に高い優先度が設定されており、そのうちの１つ、または２つの条件を満たした場合に、上記所定の条件を満たしたと判定されてもよい。
【０１１１】
〔聴診器における処理の流れ〕
次に、図５に基づいて、聴診器１における処理の流れ（聴診器１の制御方法）の一例を示すフローチャートである。
【０１１２】
まず、聴診器１の電源がオンとなった時点で、チェストピース２または把持部３が備える各部への電力供給が開始され、チェストピース２による音の取得が開始される（Ｓ１）。すなわち、音情報取得部２０１は、その取得した音を取得音情報として取得し始め、その取得音情報を一時記憶部４１に一時的に格納し、取得通知信号を条件一致判定部２０３に送信する。
【０１１３】
この状態において、操作者が聴診器１を用いて被験者５０の生体音を取得する場合、まず、操作者は、聴診器１の把持部３を把持する。このとき、接触センサ２５は、当該箇所への接触を検知し、イベント検知部２０２にイベント検知信号を送信する（Ｓ２）。
【０１１４】
そして、操作者が、被験者５０の所定の測定位置にダイアフラム面２１を当接したとき、プッシュスイッチ２４が押下される。これにより、プッシュスイッチ２４は、当該測定位置へのダイアフラム面２１の接触を検知し、自身が押下状態になったことを示すイベント検知信号をイベント検知部２０２に送信する（Ｓ３）。すなわち、被験者５０からの音（生体音）の取得が開始される。なお、Ｓ２およびＳ３の処理では、イベント検知部２０２は、それぞれのイベント検知信号に対応するイベント発生信号を条件一致判定部２０３に送信する。
【０１１５】
条件一致判定部２０３は、取得音情報が示す音が上述した所定の条件を満たすかを判定する（Ｓ４、判定ステップ）。その所定の条件を満たしていると判定した場合（Ｓ４でＹＥＳ）、当該音に生体音が含まれていると判定し、結果通知信号を、通信制御部２０４または格納制御部２０５に送信する。通信制御部２０４および格納制御部２０５は、この結果通信信号を受信した時点で、取得音情報の送信処理または格納処理を開始する（Ｓ５、制御ステップ）。これにより、操作者、医師などが必要としない取得音情報（生体音を含まない取得音情報）の無駄な送信処理または格納処理を防ぐことができる。
【０１１６】
一方、条件一致判定部２０３は、所定の条件を満たさないと判定した場合（Ｓ４でＮＯ）、取得音情報が示す音に生体音が含まれていないと判定し、一時記憶部４１に格納されている、Ｓ４の処理で使用した取得音情報を破棄する（Ｓ８）。これにより、一時記憶部４１の記憶容量の無駄な消費を防ぐことができ、高速な処理を実現することができる。
【０１１７】
取得音情報の送信処理または格納処理が行われている間、通信制御部２０４および格納制御部２０５は、処理通知信号を提示制御部２０６に送信している。提示制御部２０６は、その処理通知信号を受信することにより、送信処理または格納処理中であることを示すメッセージを、表示部２８および／またはスピーカー２９から報知させる（Ｓ６）。これにより、操作者が、生体音情報の送信処理または格納処理が正常に行われているかを確認することができる。
【０１１８】
その後、生体音の測定が完了した場合には、被験者５０からチェストピース２が離され、操作者も把持部３から手を離す。したがって、イベント検知部２０２は、対象物と非接触になったことを示すイベント検知信号を、プッシュスイッチ２４および／または接触センサ２５から受信し、これらに対応するイベント発生信号を、通信制御部２０４または格納制御部２０５に送信する。
【０１１９】
通信制御部２０４および格納制御部２０５は、イベント発生信号を受信すると、計時制御部２１４に計時開始信号を送信し、一定の時間（例えば３秒）を計時させる。つまり、測定の完了を確認するために、計時制御部２１４は、被験者５０へのチェストピース２の接触がなくなってから一定の時間が経過したか否かを判定する（Ｓ７）。
【０１２０】
計時制御部２１４は、計時が完了したことを示す計時完了信号を受信するまでは、一定の時間が経過していないと判定する（Ｓ７でＮＯ）。この場合、通信制御部２０４の送信処理、または格納制御部２０５の格納処理が引き続き行われる。一方、一定の時間が経過すると（Ｓ７でＹＥＳ）、計時制御部２１４から計時完了信号を受信することにより、通信制御部２０４および格納制御部２０５は、生体音の測定が完了したと判定し、送信処理または格納処理を完了する。
【０１２１】
一般に、聴診器１は、被験者５０の属性（年齢、性別、既往歴、症状など）に基づいて決定される、複数の測定位置の順序を示す測定シナリオに従って、生体音を取得する。この測定シナリオは、端末装置６０または記憶部４０にて管理されている。この場合、測定位置から次の測定位置へのチェストピース２の移動は、数分の１秒程度である。したがって、Ｓ７の処理にて、その移動時間よりも長い時間が経過したか否かにより生体音の測定完了を判定することにより、１つの測定シナリオに従った複数の測定位置から取得した生体音を、１つのファイルとしてまとめて送信あるいは格納することができる。
【０１２２】
以上のように、本実施の形態に係る聴診器で１は、条件一致判定部２０３が、取得音情報が示す音に生体音が含まれると判定したときに、生体音情報の、端末装置６０への送信処理または記憶部４０への格納処理を開始する。
【０１２３】
そのため、聴診器１は、操作者、医師などにとって不必要な音（生体音を含まない音）を送信または格納することを防ぐことができる。すなわち、操作者に当該音を排除するための処理（例えば、操作者が自身の耳で生体音が含まれるかを判断し、送信処理または格納処理を行うための操作ボタンを操作する）を行わせることなく、不必要な音の処理に対する電力、記憶容量などの消費を低減することができる。それゆえ、聴診器１は、操作者の利便性を損なうことなく、リソースを有効活用することができる。
【０１２４】
また、上記の判定に従って送信処理が開始されるので、送信する取得音情報のデータ量を少なくすることができるとともに、送信時間を短くすることができる。
【０１２５】
〔変形例〕
なお、本実施の形態に係る聴診器１および端末装置６０は、以下のように構成されてもよい。
【０１２６】
（聴診器１および端末装置６０の変形例）
主制御部２０、通信部２７、表示部２８、スピーカー２９、計時部３０、記憶部４０および一時記憶部４１については、必ずしも聴診器１に備えられている必要はなく、聴診器１とは別の装置にて実現されてもよい。例えば、その別の装置が端末装置（情報処理装置）６０であってもよく、端末装置６０とは別の聴診器１に接続可能な装置であってもよい。つまり、本実施の形態に係る聴診器１は、上記の主制御部２０などの構成を備えたものであるともいえる。
【０１２７】
例えば、主制御部２０が端末装置６０に備えられ、上記の処理が端末装置６０にて実現されてもよい。この場合、聴診器１は、デジタル信号変換部２６にて変換されたデジタル信号を端末装置６０に送信する。すなわち、聴診器１は、生体音の有無に関わらず、取得した音のすべてを取得音情報として端末装置６０に送信する。そして、端末装置６０が、他の外部装置（例えば、端末装置６０以外の生体音情報の管理装置）への送信タイミング、または自装置への格納タイミングを、条件一致判定部２０３の判定結果によって決定する。これにより、端末装置６０のリソースを有効活用することができる。
【０１２８】
また、本実施の形態では、把持部３はチェストピース２と独立した構成となっているが、これに限らず、把持部３を有していなくてもよい。この場合、把持部３に備えられた各部材は、例えばチェストピース２の基板上に備えられる。また、接触センサ２５は、チェストピース２の表面上の一部に設けられる。
【０１２９】
（上記処理の変形例）
条件一致判定部２０３が、所定の条件として上記の（４）の条件を用いない場合には、Ｓ２およびＳ３の処理が行われた後にＳ４の処理が行われるといった手順である必要はない。この場合、条件一致判定部２０３は、取得音情報が示す音に生体音が含まれないという結果通知信号を、通信制御部２０４または格納制御部２０５に送信することになる。
【０１３０】
また、生体音の測定完了の判定が、Ｓ７の処理による判定結果に従って行われなくてもよい。例えば、Ｓ５の処理後にＳ４の処理に戻り、所定の条件を満たさないと判定された場合に、取得音情報の送信処理または格納処理を完了させてもよい。
【０１３１】
複数の測定位置から生体音を取得する場合に上記のように処理が行われると、測定のたびに条件一致判定部２０３による判定処理が行われるので、聴診器１の処理量が多くなってしまう可能性があるが、測定シナリオが１つの測定位置からのみ生体音を取得することを示している場合には、当該可能性が生じることはない。そのため、１つの測定位置からのみの取得の場合に、取得音情報の送信処理または格納処理の開始後に、再度Ｓ４の処理を行うことにより、生体音を含まない音の情報の送信処理および格納処理を行うことを、より確実に防ぐことができる。
【０１３２】
また、複数の測定位置から生体音を取得する場合には、その処理量を低減するために、例えば、生体音の取得状況にある可能性が高いと判断できる測定回数以降の測定（例えば３つ目の測定位置以降の測定）については、条件一致判定部２０３による判定処理を簡単にしてもよい。例えば、３つ目の測定位置以降の測定について、条件一致判定部２０３は、被験者５０の接触を示すイベント発生信号を受信しているか否かのみを判定して、当該接触があれば、取得音情報が示す音に生体音が含まれていると判定してもよい。
【０１３３】
〔補足〕
最後に、聴診器１の各ブロック、特に音情報取得部２０１、イベント検知部２０２、条件一致判定部２０３（周期性確認部２１１、周波数帯域確認部２１２、波形確認部２１３および計時制御部２１４）、通信制御部２０４、格納制御部２０５および提示制御部２０６は、ハードウェアロジックによって構成してもよいし、次のようにＣＰＵを用いてソフトウェアによって実現してもよい。
【０１３４】
すなわち、聴診器１は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである聴診器１の制御プログラムのプログラムコード（実行形式プログラム、中間コードプログラム、ソースプログラム）をコンピュータで読み取り可能に記録した記録媒体を、前記聴診器１に供給し、そのコンピュータ（又はＣＰＵやＭＰＵ）が記録媒体に記録されているプログラムコードを読み出し実行することによっても、達成可能である。
【０１３５】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３６】
また、聴診器１を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０１３７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１３８】
本発明は、生体音の取得において、操作者の利便性を損なうことなく、リソースを有効活用することができるので、聴診器、生体音を示す生体音情報の情報管理装置などに好適である。
【符号の説明】
【０１３９】
１      聴診器（情報処理装置）
６０    端末装置（情報処理装置）
２０３  条件一致判定部（判定手段）
２０４  通信制御部（制御手段）
２０５  格納制御部（制御手段）
２０６  提示制御部（報知制御手段）
２１１  周期性確認部（判定手段）
２１２  周波数帯域確認部（判定手段）
２１３  波形確認部（判定手段）
２１４  計時制御部（判定手段）
【図１】
2013123493.tif 000004
【図２】
2013123493.tif 000005
【図３】
2013123493.tif 000006
【図４】
2013123493.tif 000007
【図５】
2013123493.tif 000008